(57)【要約】【課題】サイネージとして再生するコンテンツを、画像読取機能を備えた画像処理装置で容易に作成して管理する。【解決手段】表示部と画像読取部とを備える画像処理装置であって、コンテンツの原稿を前記画像読取部により読み取って画像情報を取得する取得部と、前記取得部によって取得した画像情報を保存する保存部と、前記保存部に保存される画像情報に対し、前記表示部に表示する表示条件を設定する表示設定部と、前記表示設定部によって設定された表示条件に基づいて、前記保存部に保存された画像情報を表示する表示制御部とを備える。【選択図】図４
2016201773.tif 000002
【特許請求の範囲】
【請求項１】
表示部と画像読取部とを備える画像処理装置であって、
コンテンツの原稿を前記画像読取部により読み取って画像情報を取得する取得部と、
前記取得部によって取得した画像情報を保存する保存部と、
前記保存部に保存される画像情報に対し、前記表示部に表示する表示条件を設定する表示設定部と、
前記表示設定部によって設定された表示条件に基づいて、前記保存部に保存された画像情報を表示する表示制御部と
を備えたことを特徴とする画像処理装置。
【請求項２】
請求項１に記載の画像処理装置において、
ユーザを認証する認証部を備え、
前記表示条件に、前記認証部で認証したユーザの種別を含む
ことを特徴とする画像処理装置。
【請求項３】
請求項１または２のいずれか一項に記載の画像処理装置において、
前記表示条件は、配信期間または表示タイミングを含む
ことを特徴とする画像処理装置。
【請求項４】
表示部と画像読取部とを備える画像処理装置が実行する方法であって、
コンテンツの原稿を前記画像読取部により読み取って画像情報を取得する取得工程と、
前記取得工程によって取得した画像情報を保存する保存工程と、
前記保存工程により保存される画像情報に対し、前記表示部に表示する表示条件を設定する表示設定工程と、
前記表示設定工程によって設定された表示条件に基づいて、前記保存工程により保存された画像情報を表示する表示制御工程と
を備えたことを特徴とするサイネージ管理方法。
【請求項５】
表示部と画像読取部とを備える画像処理装置を構成するコンピュータに、
コンテンツの原稿を前記画像読取部により読み取って画像情報を取得する取得工程と、
前記取得工程によって取得した画像情報を保存する保存工程と、
前記保存工程により保存される画像情報に対し、前記表示部に表示する表示条件を設定する表示設定工程と、
前記表示設定工程によって設定された表示条件に基づいて、前記保存工程により保存された画像情報を表示する表示制御工程と
を実行させるサイネージ管理プログラム。
【発明の詳細な説明】
【技術分野】
【０００１】
本発明は、画像処理装置、サイネージ管理方法およびサイネージ管理プログラムに関する。
【背景技術】
【０００２】
各種の情報を含む画像をディスプレイ等により表示するサイネージシステムが広く利用されるようになってきている。特に、広告やお知らせ等をサイネージシステムを利用して表示することは効果があることが知られている。
【０００３】
従来のサイネージシステムは、再生するコンテンツを外部サーバにおいて用意し、そのコンテンツをディスプレイ等で取得して再生する仕組みとなっている（例えば、特許文献１等を参照。）。
【０００４】
また、専用のディスプレイのほか、ＭＦＰ（Multi-Function Printer, Multi-Function Peripheral）等の画像処理装置の操作部（コントロールパネル）を利用してコンテンツを再生することも行われている。この場合も、画像処理装置が外部サーバからコンテンツを取得して再生する仕組みが用いられている。
【発明の概要】
【発明が解決しようとする課題】
【０００５】
上述したように、従来のサイネージシステムは外部サーバからコンテンツを取得するものであった。そのため、新たなコンテンツを追加するためには、コンテンツの作成の他に、作成したコンテンツを外部サーバへアップロードし、外部サーバへアップロードしたコンテンツを画像処理装置にダウンロードするといった手間が発生する問題があった。
【０００６】
本発明は上記の従来の問題点に鑑み提案されたものであり、その目的とするところは、サイネージとして再生するコンテンツを、画像読取機能を備えた画像処理装置で容易に作成して管理することにある。
【課題を解決するための手段】
【０００７】
上記の課題を解決するため、本発明にあっては、表示部と画像読取部とを備える画像処理装置であって、コンテンツの原稿を前記画像読取部により読み取って画像情報を取得する取得部と、前記取得部によって取得した画像情報を保存する保存部と、前記保存部に保存される画像情報に対し、前記表示部に表示する表示条件を設定する表示設定部と、前記表示設定部によって設定された表示条件に基づいて、前記保存部に保存された画像情報を表示する表示制御部とを備える。
【発明の効果】
【０００８】
本発明にあっては、サイネージとして再生するコンテンツを、画像読取機能を備えた画像処理装置で容易に作成して管理することができる。
【図面の簡単な説明】
【０００９】
【図１】本発明の一実施形態を示す図である。
【図２】画像処理装置のハードウェア構成例を示す図である。
【図３】画像処理装置のソフトウェア階層例を示す図である。
【図４】画像処理装置のソフトウェア構成例を示す図である。
【図５】実施形態の処理例を示すシーケンス図（その１）である。
【図６】表示画面例を示す図（その１）である。
【図７】表示画面例を示す図（その２）である。
【図８】表示画面例を示す図（その３）である。
【図９】表示画面例を示す図（その４）である。
【図１０】詳細設定の設定例を示す図である。
【図１１】実施形態の処理例を示すシーケンス図（その２）である。
【図１２】表示画面例を示す図（その５）である。
【発明を実施するための形態】
【００１０】
以下、本発明の好適な実施形態につき説明する。
【００１１】
＜構成＞
図１は本発明の一実施形態を示す図であり、画像読取機能（スキャナ機能）を備えた画像処理装置１単体によりサイネージシステムを構成している。すなわち、ユーザは画像処理装置１の画像読取機能によりサイネージのコンテンツの原稿を読み取ってコンテンツの画像情報を取得し、更に、サイネージ再生の表示条件の設定を行うことで、サイネージ再生が行われる。画像読取機能を備えた画像処理装置１としては、ＭＦＰ、コピー機、ファクシミリ等があるが、以下ではＭＦＰを例として説明する。
【００１２】
図２は画像処理装置１のハードウェア構成例を示す図である。図２において、画像処理装置１は、コピー機能、スキャナ機能、ファクス機能、プリンタ機能等の各種の機能を実現可能な本体１１０と、ユーザの操作を受け付ける操作部１２０とを備える。本体１１０と操作部１２０は、専用の通信路１３０を介して相互に通信可能に接続されている。通信路１３０は、例えばＵＳＢ（Universal Serial Bus）規格のものを用いることもできるが、有線か無線かを問わず任意の規格のものであってよい。なお、本体１１０は、操作部１２０で受け付けた操作に応じた動作を行うことができる。また、本体１１０は、クライアントＰＣ（パーソナルコンピュータ）等の外部装置とも通信可能であり、外部装置から受信した指示に応じた動作を行うこともできる。
【００１３】
本体１１０は、ＣＰＵ（Central Processing Unit）１１１と、ＲＯＭ（Read Only Memory）１１２と、ＲＡＭ（Random Access Memory）１１３と、ＨＤＤ（Hard Disk Drive）１１４と、通信Ｉ／Ｆ（Interface）１１５と、接続Ｉ／Ｆ１１６と、エンジン部１１７とを備え、これらがシステムバス１１８を介して相互に接続されている。
【００１４】
ＣＰＵ１１１は、本体１１０の動作を統括的に制御する。ＣＰＵ１１１は、ＲＡＭ１１３をワークエリア（作業領域）としてＲＯＭ１１２またはＨＤＤ１１４等に格納されたプログラムを実行することで、本体１１０全体の動作を制御し、上述したコピー機能、スキャナ機能、ファクス機能、プリンタ機能等の各種機能を実現する。通信Ｉ／Ｆ１１５は、ネットワーク２と接続するためのインタフェースである。接続Ｉ／Ｆ１１６は、通信路１３０を介して操作部１２０と通信するためのインタフェースである。エンジン部１１７は、コピー機能、スキャナ機能、ファクス機能、および、プリンタ機能を実現させるための、汎用的な情報処理および通信以外の処理を行うハードウェアである。例えば、原稿の画像をスキャンして読み取るスキャナ（画像読取部）、用紙等のシート材への印刷を行うプロッタ（画像形成部）、ファクス通信を行うファクス部等を備えている。更に、印刷済みシート材を仕分けるフィニッシャや、原稿を自動給送するＡＤＦ（Auto Document Feeder：自動原稿給送装置）のような特定のオプションを備えることもできる。
【００１５】
操作部１２０は、ＣＰＵ１２１と、ＲＯＭ１２２と、ＲＡＭ１２３と、フラッシュメモリ１２４と、通信Ｉ／Ｆ１２５と、接続Ｉ／Ｆ１２６と、操作パネル１２７と、外部接続Ｉ／Ｆ１２８とを備え、これらがシステムバス１２９を介して相互に接続されている。ＣＰＵ１２１は、操作部１２０の動作を統括的に制御する。ＣＰＵ１２１は、ＲＡＭ１２３をワークエリアとしてＲＯＭ１２２またはフラッシュメモリ１２４等に格納されたプログラムを実行することで、操作部１２０全体の動作を制御し、ユーザから受け付けた入力に応じた情報（画像）の表示などの各種機能を実現する。通信Ｉ／Ｆ１２５は、ネットワーク２と接続するためのインタフェースである。接続Ｉ／Ｆ１２６は、通信路１３０を介して本体１１０と通信するためのインタフェースである。
【００１６】
操作パネル１２７は、ユーザの操作に応じた各種の入力を受け付けるとともに、各種の情報（例えば、受け付けた操作に応じた情報、画像処理装置１の動作状況を示す情報、設定状態などを示す情報等）を表示する。ここでは、操作パネル１２７は、タッチパネル機能を搭載した液晶表示装置（ＬＣＤ：Liquid Crystal Display）を想定しているが、これに限られるものではない。例えば、タッチパネル機能が搭載された有機ＥＬ（Electro-Luminescence）表示装置で構成されてもよい。更に、これに加え、またはこれに代えて、ハードウェアキー等の操作部やランプ等の表示部を設けることもできる。外部接続Ｉ／Ｆ１２８は、外部機器と接続するためのインタフェースであり、ＩＣカードリーダ３が接続されている。
【００１７】
図３は画像処理装置１のソフトウェア階層例を示す図である。図３において、本体１１０は、アプリ層１１０１と、サービス層１１０２と、ＯＳ層１１０３とを有する。アプリ層１１０１、サービス層１１０２およびＯＳ層１１０３の実体は、図２に示したＲＯＭ１１２やＨＤＤ１１４等に格納されている各種ソフトウェアである。ＣＰＵ１１１が、これらのソフトウェアを実行することにより、各種の機能が提供される。
【００１８】
アプリ層１１０１のソフトウェアは、ハードウェア資源を動作させて所定の機能を提供するためのアプリケーションソフトウェア（以下の説明では、単に「アプリ」と称する場合がある）である。例えば、アプリとしては、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００１９】
サービス層１１０２のソフトウェアは、アプリ層１１０１とＯＳ層１１０３との間に介在し、アプリに対し、本体１１０が備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層１１０２が受け付ける動作要求としては、スキャナによる読み取りやプロッタによる印刷等の要求が挙げられる。なお、サービス層１１０２によるインタフェースの機能は、本体１１０のアプリ層１１０１だけではなく、操作部１２０のアプリ層１２０１に対しても提供される。すなわち、操作部１２０のアプリ層１２０１のアプリも、サービス層１１０２のインタフェース機能を介して、本体１１０のハードウェア資源（例えば、エンジン部１１７）を利用した機能を実現することができる。
【００２０】
ＯＳ層１１０３のソフトウェアは、本体１１０が備えるハードウェアを制御する基本機能を提供するための基本ソフトウェア（オペレーティングシステム）である。サービス層１１０２のソフトウェアは、各種アプリからのハードウェア資源の利用要求を、ＯＳ層１１０３が解釈可能なコマンドに変換してＯＳ層１１０３に渡す。そして、ＯＳ層１１０３のソフトウェアによりコマンドが実行されることで、ハードウェア資源は、アプリの要求に従った動作を行う。
【００２１】
同様に、操作部１２０は、アプリ層１２０１と、サービス層１２０２と、ＯＳ層１２０３とを有する。操作部１２０が備えるアプリ層１２０１、サービス層１２０２およびＯＳ層１２０３も、階層構造については本体１１０側と同様である。ただし、アプリ層１２０１のアプリにより提供される機能や、サービス層１２０２が受け付け可能な動作要求の種類は、本体１１０側とは異なる。アプリ層１２０１のアプリは、操作部１２０が備えるハードウェア資源を動作させて所定の機能を提供するためのソフトウェアであってもよいが、主として本体１１０が備える機能（コピー機能、スキャナ機能、ファクス機能、プリンタ機能）に関する操作や表示を行うためのＵＩ（ユーザインタフェース）の機能を提供するためのソフトウェアである。
【００２２】
なお、図示の構成例では、機能の独立性を保つために、本体１１０側のＯＳ層１１０３のソフトウェアと操作部１２０側のＯＳ層１２０３のソフトウェアは互いに異なる。つまり、本体１１０と操作部１２０は、別々のオペレーティングシステムで互いに独立して動作する。例えば、本体１１０側のＯＳ層１１０３のソフトウェアとしてＬｉｎｕｘ（登録商標）を用い、操作部１２０側のＯＳ層１２０３のソフトウェアとしてＡｎｄｒｏｉｄ（登録商標）を用いることも可能である。
【００２３】
本体１１０と操作部１２０は別々のオペレーティングシステムで動作するため、本体１１０と操作部１２０の間の通信は、共通の装置内のプロセス間通信ではなく、異なる装置間の通信として行われる。操作部１２０が受け付けた情報（ユーザからの指示内容）を本体１１０へ伝達する動作（コマンド通信）や、本体１１０が操作部１２０へイベントを通知する動作などがこれに該当する。ここでは、操作部１２０が本体１１０へコマンド通信を行うことにより、本体１１０の機能を使用することができる。また、本体１１０から操作部１２０に通知するイベントには、本体１１０における動作の実行状況、本体１１０側で設定された内容などが挙げられる。また、操作部１２０に対する電力供給は、本体１１０から通信路１３０を経由して行われているので、操作部１２０の電源制御を、本体１１０の電源制御とは別に（独立して）行うことができる。
【００２４】
図４は画像処理装置１のソフトウェア構成例を示す図である。図４において、画像処理装置１は、サイネージコンテンツの作成と再生に関する機能に関し、システム制御部１１と表示制御部１２とユーザ認証部１３とサイネージ制御部１４と読取制御部１５と記憶制御部１６とを備えている。
【００２５】
システム制御部１１は、全体的な制御を行い、表示制御部１２、ユーザ認証部１３およびサイネージ制御部１４の制御を行う。より具体的には、表示制御部１２を介してユーザから入力された指示をサイネージ制御部１４やユーザ認証部１３に伝え、サイネージ制御部１４からのコンテンツ再生要求を表示制御部１２に伝える。
【００２６】
表示制御部１２は、ユーザが操作する操作部１２０の制御を行い、ユーザからのサイネージコンテンツの読取指示や、サイネージコンテンツの再生設定を受け付ける。また、サイネージコンテンツの再生も行う。
【００２７】
ユーザ認証部１３は、表示制御部１２が受け付けた、ユーザが入力したログイン情報（ログイン名、パスワード）を、システム制御部１１を介して受け取り、自身が管理するユーザ情報と照合してユーザログインの認証を行う。ユーザ認証部１３が管理するユーザ情報にはログイン名、パスワードの他、そのユーザに設定される権限（管理者、一般ユーザ、ＣＥ（Customer Engineer）等のユーザの種別）が含まれる。
【００２８】
サイネージ制御部１４は、読取制御部１５に対して読取動作の指示を行い、記憶制御部１６へ画像情報や再生設定情報の記録（保存）を指示する。サイネージ制御部１４は後述するサイネージアプリに対応する。
【００２９】
読取制御部１５は、ユーザが作成したサイネージコンテンツの原稿を読み取り、画像情報としてサイネージ制御部１４に渡す。
【００３０】
記憶制御部１６は、サイネージ制御部１４より渡される、画像情報と再生設定情報の記憶（保存）を行う。
【００３１】
＜動作＞
図５は上記の実施形態の処理例を示すシーケンス図であり、サイネージコンテンツ登録時の処理例である。図５において、ユーザが操作部１２０からコンテンツ登録要求の操作を行うと、表示制御部１２はその操作を受け付け、システム制御部１１に対してコンテンツ登録要求を行い（ステップＳ１１）、システム制御部１１はサイネージ制御部１４にコンテンツ登録要求を行う（ステップＳ１２）。
【００３２】
図６は操作部１２０における画面例を示しており、サイネージアプリのアイコンＩ１をタップすることで図７のサイネージコンテンツスキャン画面に遷移し、この画面から開始のボタンＩ２をタップすることで、コンテンツ登録要求が行われる。
【００３３】
図５に戻り、サイネージ制御部１４は、システム制御部１１からコンテンツ登録要求を受けると、読取制御部１５に対してコンテンツ取込（原稿読取）を指示し（ステップＳ１３）、取り込んだコンテンツ（画像情報）の保存を記憶制御部１６に指示する（ステップＳ１４）。
【００３４】
次いで、ユーザが操作部１２０からコンテンツ再生設定の操作を行うと、表示制御部１２はその操作を受け付け、システム制御部１１に対してコンテンツ再生設定の要求を行い（ステップＳ１５）、システム制御部１１はサイネージ制御部１４にコンテンツ再生設定の要求を行う（ステップＳ１６）。
【００３５】
図８はサイネージコンテンツスキャンの完了後に表示されるサイネージコンテンツ再生設定画面の例を示している。なお、図７に示したサイネージコンテンツスキャン画面からスキャンスキップのボタンＩ３をタップすることで、直接に図８のサイネージコンテンツ再生設定画面に遷移することもできる。図８では、保存コンテンツ一覧Ｉ４から再生コンテンツ一覧Ｉ５に所望のコンテンツをドラッグ等して再生対象となるコンテンツを指定できるとともに、コンテンツをタップすることで、図９に示すサイネージコンテンツ詳細設定画面に遷移することができる。図９では、コンテンツのプレビューを確認できるとともに、配信開始日時、配信停止日時、表示タイミング、コンテンツ権限等の設定項目について設定を行うことができる。
【００３６】
配信開始日時は、コンテンツ配信を開始する日時である。配信停止日時は、コンテンツ配信を停止する日時である。表示タイミングは、コンテンツの表示タイミングである。設定可能なタイミングとしては、オートリセット時、スキャン、コピー、ログイン等がある。オートリセット時は、オートリセット後にコンテンツを表示するものである。スキャンは、スキャン動作中にコンテンツを表示するものである。コピーは、コピー動作中にコンテンツを表示するものである。ログインは、ログイン後にコンテンツを表示するものである。コンテンツ権限は、コンテンツを表示する時点でログインしているユーザの権限である。設定可能な権限としては、管理者、一般ユーザ、ＣＥ等がある。設定例を図１０に示す。
【００３７】
図５に戻り、サイネージ制御部１４は、システム制御部１１からコンテンツ再生設定の要求を受けると、記憶制御部１６に対してコンテンツ再生設定を行う（ステップＳ１７）。
【００３８】
次に、図１１は上記の実施形態の他の処理例を示すシーケンス図であり、サイネージコンテンツ再生時の処理例である。図１１において、システム制御部１１は、印刷等の処理をトリガとして、サイネージ制御部１４に対してコンテンツ再生要求を行う（ステップＳ２１）。
【００３９】
サイネージ制御部１４は、システム制御部１１からコンテンツ再生要求を受けると、トリガがいずれのタイミングであるか、すなわち、オートリセット時、スキャン、コピー、ログイン等のいずれであるか判定を行う（ステップＳ２２）。そして、そのタイミングで再生することと設定されているコンテンツ（再生条件を満たすコンテンツ）を記憶制御部１６から取得する（ステップＳ２３）。
【００４０】
すなわち、タイミングの種別、現在日時、ログインユーザの権限に基づいて現時点で再生すべきコンテンツを記憶制御部１６から取得する。この際、配信期間（配信開始日時から配信停止日時までの期間）内のコンテンツのみを再生の対象とし、配信期間外のコンテンツは再生の対象としない。権限が条件に設定されているコンテンツについては、ログインしているユーザの権限（管理者、ユーザ、ＣＥ）と合致するものを再生の対象とする。
【００４１】
そして、サイネージ制御部１４は、表示制御部１２に対し、コンテンツを指定してコンテンツ再生を指示する（ステップＳ２４）。これに応じ、表示制御部１２は該当するコンテンツを再生する（ステップＳ２５）。図１２はコンテンツが再生された状態の画面例を示している。図１２において、既に表示されている画面の上に被さるようにウインドウが開き、そのウインドウ内でコンテンツが表示される。一定時間コンテンツを表示すると、ウインドウは自動的に閉じる。
【００４２】
＜総括＞
以上説明したように、本実施形態によれば、サイネージとして再生するコンテンツを、画像読取機能を備えた画像処理装置で容易に作成して管理することができる。
【００４３】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００４４】
本発明は、画像処理装置、サイネージ管理方法またはサイネージ管理プログラムのほか、サイネージ管理プログラムを記録したコンピュータ読取可能な記録媒体として実施することができる。
【００４５】
＜実施形態の用語と請求項の用語の対応＞
画像処理装置１は「画像処理装置」の一例である。操作パネル１２７は「表示部」の一例である。エンジン部１１７は「画像読取部」の一例である。読取制御部１５は「取得部」の一例である。記憶制御部１６は「保存部」の一例である。サイネージ制御部１４は「表示設定部」の一例である。表示制御部１２は「表示制御部」の一例である。ユーザ認証部１３は「認証部」の一例である。
【符号の説明】
【００４６】
１        画像処理装置
１１      システム制御部
１２      表示制御部
１３      ユーザ認証部
１４      サイネージ制御部
１５      読取制御部
１６      記憶制御部
２        ネットワーク
３        ＩＣカードリーダ
【先行技術文献】
【特許文献】
【００４７】
【特許文献１】特開２０１１−７００４４号公報
【図１】
2016201773.tif 000003
【図２】
2016201773.tif 000004
【図３】
2016201773.tif 000005
【図４】
2016201773.tif 000006
【図５】
2016201773.tif 000007
【図６】
2016201773.tif 000008
【図７】
2016201773.tif 000009
【図８】
2016201773.tif 000010
【図９】
2016201773.tif 000011
【図１０】
2016201773.tif 000012
【図１１】
2016201773.tif 000013
【図１２】
2016201773.tif 000014